(57)【要約】【課題】無駄のない効率的な買い物を実現でき、収納スペースのストック管理が容易にできるストック管理収納システムを提供する。【解決手段】ストック管理収納システム１は、複数に分割して形成された各収納部Ａ，Ｂ・・・に収納される収納物の種別を設定する種別設定部３０と、前記種別毎に基準値を設定する基準値設定部３１と、前記種別設定部にて設定される種別と前記基準値設定部にて設定される前記基準値とを対応付けて記憶する種別−検知量換算部３２と、を備え、前記収納部毎に前記残量検知部６０を設け、報知判断部２０は、前記種別毎に前記種別−検知量換算部に記憶される前記基準値と前記残量検知部により検知される前記収納物の残量とを比較し、前記種別毎にその残量が基準値よりも少ないときは、前記通信部４が前記ユーザの所持する携帯端末７に通知することを特徴とする。【選択図】図１
2013088001.tif 000002
【特許請求の範囲】
【請求項１】
収納スペース内の収納物の残量を検知する残量検知部と、この残量検知部により検知される前記収納物の残量が予め設定された基準値と比較して当該基準値よりも少なくなったことを判断する報知判断部と、この報知判断部による判断に基づいて報知信号を出力する出力部と、この出力部から前記報知信号を受けると外部端末に通知を行う通信部と、を備えたストック管理収納システムであって、
前記収納スペースは、複数に分割して形成された収納部を有するとともにユーザの宅内に収納庫として設置され、
この各収納部に収納される収納物の種別を設定する種別設定部と、前記種別毎に前記基準値を設定する基準値設定部と、前記種別設定部にて設定される種別と前記基準値設定部にて設定される前記基準値とを対応付けて記憶する種別−検知量換算部と、を備え、
前記収納部毎に前記残量検知部を設け、前記報知判断部は、前記種別毎に前記種別−検知量換算部に記憶される前記基準値と前記残量検知部により検知される前記収納物の残量とを比較し、前記種別毎にその残量が基準値よりも少ないときは、前記通信部が前記ユーザの所持する携帯端末に通知することを特徴とするストック管理収納システム。
【請求項２】
請求項１において、
前記報知判断部、前記出力部、前記種別設定部、前記基準値設定部、及び前記種別−検知量換算部が、前記宅内のパソコン端末において機能するものであり、このパソコン端末での入力操作によって前記種別設定部で前記種別が設定され、前記基準値設定部で前記基準値が設定されることを特徴とするストック管理収納システム。
【請求項３】
請求項１または請求項２において、
前記残量検知部が前記収納物の重量を検知する圧力センサであって、この圧力センサは前記各収納部の底部分に設けられ、その上に前記収納物が載置されることを特徴とするストック管理収納システム。
【請求項４】
請求項３において、
前記残量検知部は、前記収納部の各々に複数個の前記収納物が収納された場合、前記圧力センサにより検知される重量を前記種別に応じて前記収納物の個数に置き換える演算部を有し、
前記基準値設定部は、前記基準値が前記収納物の個数として設定され、
前記報知判断部は、前記記憶部に記憶される前記基準値としての前記収納物の個数と、前記演算部にて置き換えられた前記収納物の残量となる個数とを比較することを特徴とするストック管理収納システム。
【請求項５】
請求項４において、
前記通信部は、前記携帯端末から前記残量の問い合わせがあったときには、前記個数を前記携帯端末へ通知することを特徴とするストック管理収納システム。
【発明の詳細な説明】
【技術分野】
【０００１】
本発明は、収納スペースの収納物の残量を管理するストック管理収納システムに関する。
【背景技術】
【０００２】
従来より、通信ネットワークを利用した様々なストック管理システムが種々提案されている。
例えば特許文献１には、冷蔵庫内の収納部に貯蔵された各食品の保管開始日、保管個数、残量などを測定し、その状態を冷蔵庫の前面に設けられた画面に出力させる冷蔵庫が記載されている。これによれば、ユーザが冷蔵庫を開けなくても食品の残量状態を確認することができる。
【先行技術文献】
【特許文献】
【０００３】
【特許文献１】特開２００３−５００７７号公報
【発明の概要】
【発明が解決しようとする課題】
【０００４】
近年は、このような冷蔵庫の残量管理にとどまらず、無駄なく効率的な買い物ができるようにキッチン、納戸、トイレなどの収納スペースに収納された収納物のストック管理ができるシステムが求められている。また収納スペースに収納するものを固定化することにより、整理された収納空間となり、快適な住環境作りに寄与できるようなシステムも求められている。
【０００５】
本発明は、上記実情に鑑みてなされたものであり、無駄のない効率的な買い物を実現でき、収納スペースのストック管理が容易にできるストック管理収納システムを提供することを目的としている。
【課題を解決するための手段】
【０００６】
上記目的を達成するために、本発明に係るストック管理収納システムは、収納スペース内の収納物の残量を検知する残量検知部と、この残量検知部により検知される前記収納物の残量が予め設定された基準値と比較して当該基準値よりも少なくなったことを判断する報知判断部と、この報知判断部による判断に基づいて報知信号を出力する出力部と、この出力部から前記報知信号を受けると外部端末に通知を行う通信部と、を備えたストック管理収納システムであって、前記収納スペースは、複数に分割して形成された収納部を有するとともにユーザの宅内に収納庫として設置され、この各収納部に収納される収納物の種別を設定する種別設定部と、前記種別毎に前記基準値を設定する基準値設定部と、前記種別設定部にて設定される種別と前記基準値設定部にて設定される前記基準値とを対応付けて記憶する種別−検知量換算部と、を備え、前記収納部毎に前記残量検知部を設け、前記報知判断部は、前記種別毎に前記種別−検知量換算部に記憶される前記基準値と前記残量検知部により検知される前記収納物の残量とを比較し、前記種別毎にその残量が基準値よりも少ないときは、前記通信部が前記ユーザの所持する携帯端末に通知することを特徴とする。
【０００７】
本発明において、前記報知判断部、前記出力部、前記種別設定部、前記基準値設定部、及び前記種別−検知量換算部が、前記宅内のパソコン端末において機能するものであり、このパソコン端末での入力操作によって前記種別設定部で前記種別が設定され、前記基準値設定部で前記基準値が設定されるようにしてもよい。
【０００８】
また本発明において、前記残量検知部が前記収納物の重量を検知する圧力センサであって、この圧力センサは前記各収納部の底部分に設けられ、その上に前記収納物が載置されるようにしてもよい。
さらにこの場合、前記残量検知部は、前記収納部の各々に複数個の前記収納物が収納された場合、前記圧力センサにより検知される重量を前記種別に応じて前記収納物の個数に置き換える演算部を有し、前記基準値設定部は、前記基準値が前記収納物の個数として設定され、前記報知判断部は、前記記憶部に記憶される前記基準値としての前記収納物の個数と、前記演算部にて置き換えられた前記収納物の残量となる個数とを比較するようにしてもよい。
そしてさらにこの場合、前記通信部は、前記携帯端末から前記残量の問い合わせがあったときには、前記個数を前記携帯端末へ通知するようにしてもよい。
【発明の効果】
【０００９】
本発明に係るストック管理収納システムによれば、上述の構成としているので、無駄のない効率的な買い物を実現でき、収納スペースのストック管理が容易にできる。
【図面の簡単な説明】
【００１０】
【図１】本発明の一実施形態に係るストック管理収納システムのブロック図である。
【図２】同ストック管理収納システムに係る基本動作の一例を示したフロー図である。
【図３】同ストック管理収納システムの模式的概念図である。
【図４】同ストック管理収納システムによって管理する収納スペースの一例を示す模式的斜視図である。
【図５】（ａ）〜（ｃ）は同ストック管理収納システムの設定画面の例を示す図である。
【図６】同ストック管理収納システムに係る基本動作の一例を示したフロー図である。
【発明を実施するための形態】
【００１１】
以下に本発明の実施の形態について、図面を参照しながら説明する。
本実施形態に係るストック管理収納システム１が管理する収納スペース６は、複数に分割して形成された収納部（例えば収納部Ａ、収納部Ｂなど）を有するとともにユーザの宅内に収納庫として設置される。収納スペース６の収納部Ａ，Ｂ・・・には、収納部Ａ，Ｂ毎に残量検知部６０，６０・・・が設けられている。
ストック管理収納システム１は、少なくとも残量検知部６０と、報知判断部２０と、出力部２１と、通信部４と、種別設定部３０と、基準値設定部３１と、種別−検知量換算部３２と、を備えている。そして報知判断部２０は、種別毎に種別−検知量換算部３２に記憶される基準値と残量検知部６０により検知される収納物の残量とを比較し、種別毎にその残量が基準値よりも少ないときは、通信部４がユーザの所持する携帯端末７に通知する。
以下、詳しく説明する。
【００１２】
図１に示すように、ストック管理収納システム１の制御部２は、各種プログラムによって構成された報知判断部２０、出力部２１及び記憶設定部３を備えている。報知判断部２０は、収納部Ａ，Ｂ・・・毎に設けられた残量検知部６０，６０・・・により検知される収納物の残量が予め設定された基準値と比較して基準値よりも少なくなったことを判断する。また後記するようにカレンダー機能部３４を備え、収納物の賞味期限も管理可能とする場合は、賞味期限の設定に応じて日にちと期限日とを比較して期限が過ぎていないかを判断する。出力部２１は、報知判断部２０による判断に基づいて報知信号を通信部４へ出力する。
記憶設定部３は、ＲＯＭやＲＡＭなどで構成され、種々設定内容を記憶し保存する。記憶設定部３は、種別設定部３０と、基準値設定部３１と、種別−検知量換算部３２と、アドレス認識部３３とを備える他、賞味期限の管理を行うカレンダー機能部３４を備えたものとしてもよい。種別設定部３０は、各収納部Ａ，Ｂ・・・に収納される収納物の種別を設定する。ここでいう種別とは、例えば後記する図５（ａ）の「２」項目に入力される具体的な収納物の物品名や同じく図５（ａ）の「３」分類に入力される収納物の分類などをいう。基準値設定部３１は、種別毎に基準値を設定する。ここでいう基準値は、例えば後記する図５（ａ）の「６」の購入喚起ラインのことであり、値としては、設定された任意の残量（在庫量）の割合（例えば％）でもよいし、個数であってもよい。種別−検知量換算部３２は、種別設定部３０にて設定される種別と基準値設定部３１にて設定される基準値とを対応付けて記憶する。アドレス記憶部３３は、収納部Ａ，Ｂ・・・や残量検知部６０，６０・・・に付与されたアドレスを種別などと対応付けて記憶する。例えば残量検知部６０，６０・・・にアドレスを付与する例としては、後記する図５（ａ）の「１」センサＮＯの項目に設定されるようにナンバーを付与するようにしてもよい。カレンダー機能部３４は、日時を更新していくカレンダー情報が記憶されている。この他、制御部２は、残量検知部６０による検知制御を随時行う残量検知モードとこれをオフにするモード切替部（不図示）などを備えている。このようにモード切替部を備えていれば、ストック管理が不要な収納スペース６については、ストック管理をオフにしておくことができる。
【００１３】
上述の報知判断部２０、出力部２１、記憶設定部３の種別設定部３０、基準値設定部３１、種別−検知量換算部３２等は、ユーザの宅内に設置されるパソコン端末１０（図３参照）において機能する。パソコン端末１０は、各種設定の操作などを行う操作部５と、基地局を介して携帯端末７等との通信を行う通信部４とを備えている。通信部４と携帯端末７の通信方式は特に限定されず、汎用の通信方式を利用すればよい。またパソコン端末１０は、各収納スペース６と通信線で接続されている。なお、パソコン端末１０と収納スペース６の通信は、有線に限定されず無線であってもよい。収納スペース６としては、例えば図３に示すように洗面台収納６ａ、トイレ収納６ｂ、納戸６ｃ、床下収納６ｄ、キッチン収納６ｅ、収納家具６ｆなどが挙げられ、パソコン端末１０でこれら収納スペース６の収納物のストック管理を行うことができる。また宅内における収納スペース６のストック管理の様々な設定を同じ宅内に設置されたパソコン端末１０で行うことができ、便利である。さらにパソコン端末１０の通信部４は、出力部２１から報知信号を受けると携帯端末７へ報知判断部２０による判断に基づいて通知を行うよう構成されているので、宅内外のどこにいても携帯端末７があれば、収納スペース６の収納物のストック状況を知ることができる。
【００１４】
図２を参照しながら、ストック管理収納システム１の基本動作の一例を説明する。
残量の検知を行う残量検知モードに設定されている場合（Ｓ１００）、残量検知部６０，６０・・・は常時残量検知を行う（Ｓ１０１）。報知判断部２０で残量検知部６０，６０・・・により検知される収納物の残量が予め設定された基準値と比較して基準値よりも少なくなったことを判断した場合は（Ｓ１０２）、出力部２１が報知信号を通信部４に出力する。そして通信部４はこれに基づいて携帯端末７へ残量が少ないことを通知する（Ｓ１０３）。一方、報知判断部２０で収納物の残量が予め設定された基準値と比較して基準値よりも多いと判断した場合は（Ｓ１０２）、携帯端末７への通知はせず、そのまま残量検知を続ける（Ｓ１０１）。
以上によれば、収納物の残量が少ないことが携帯端末７に通知されるので、無駄のない効率的な買い物を実現でき、収納スペース６のストック管理が容易にできる。すなわち、例えばユーザが外出先であっても携帯端末７をもっていれば、残量が足りない収納物を知ることができ、便利である。
また残量検知部６０が収納スペース６の複数に分割された収納部Ａ，Ｂ・・・毎に設けられているので、収納部Ａ，Ｂ・・・毎にきめ細かく収納物の管理を行うことができる。
このとき、携帯端末７への通知形式は特に限定されないが、電子メールを利用した通知としてもよい。具体的な通知内容は、例えば電子メールで件名「購入喚起連絡」、本文「トイレットペーパーが少なくなってきました。補充してください。」などとしてもよいし、後記するように在庫量を％や数量（個数等）で具体的な数値として通知するようにしてもよい。
【００１５】
図４には、収納スペース６の一例として床下収納６ｄを模式的斜視図で示している。
ここに示す床下収納６ｄは、収納空間を複数に分割して収納部Ａ，Ｂを構成し、収納部Ａ，Ｂ毎に残量検知部６０，６０を設けている。具体的には、４つに分割した収納空間のうちの２箇所を収納部Ａ，Ｂとし、その各収納部Ａ，Ｂの底部分の中央に残量検知部６０を設け、この上に収納物を載置して収納でき、収納部Ａ，Ｂに収納された収納物のストック管理ができるようになっている。残量検知部６０としては収納物の残量が検知できるものであれば、特に限定されないが、例えば圧力センサとしてもよいし、収納スペース６内にカメラなどを設置して、映像で収納物の残量を検知するようにしてもよい。収納部Ａ，Ｂ以外の収納部には、ストック管理の必要のない収納物を収納すればよい。
以上によれば、収納部Ａ，Ｂに収納するものの種別が設定され、収納場所が固定化するので、収納スペース６が整理された空間となり、快適な住環境作りに寄与できる。
【００１６】
残量検知部６０として圧力センサを用いる場合は、予め圧力センサを薄板状のボードに埋め込んでセンサボードとし、圧力センサが埋め込まれていないボードをノーマルボードとして、複数枚用意するようにしてもよい。この場合、収納スペース６に応じてセンサボードとノーマルボードとを組み合わせて使用することができ、後付けでストック管理したい収納部Ａ，Ｂ・・・を追加したり減らしたりすることが容易にできる。
このとき、残量検知部６０への電源供給は、電池式としてもよいし、配線を這わせて供給を受けるようにしてもよい。またセンサボードのみを使用してストック管理をしたい場所に部分的に設置するようにしてもよい。
なお、残量検知部６０の設置例として、ここでは床下収納６ｄの例を示したが、これに限定されず、上述の収納スペース６の例にも適用でき、収納部Ａ，Ｂ・・・の構成は棚や引き出しなどであってもよい。
【００１７】
残量検知部６０は、収納部Ａ，Ｂの各々に複数個の収納物が収納された場合、圧力センサにより検知される重量を種別に応じて収納物の個数に置き換える演算部６１（図１参照）を有するようにしてもよい。この場合、基準値設定部３１は、基準値が収納物の個数として設定され、報知判断部２０は、種別−検知量換算部３２に記憶される基準値としての収納物の個数と、演算部６１にて置き換えられた収納物の残量となる個数とを比較するようにしてもよい。この構成によれば、収納部Ａ，Ｂ・・・に収納される収納物の個数を認識できるので、残量を的確に判断することができる。また演算部６１は、収納物の在庫量を％に置き換える演算を行うようにしてもよい。
【００１８】
図５（ａ）〜（ｃ）はストック管理収納システム１の設定画面の例を示す図である。
設定画面の構成は、特に限定されないが、例えば残量検知部６０として上述のように圧力センサを用いる場合、圧力センサにセンサナンバーを付与して、センサナンバーに基づいて収納物の種別設定、在庫量表示の設定、基準値の設定などを行うようにしてもよい。
図５（ａ）〜（ｃ）に示すテーブルＴ１〜Ｔ３は、ある収納スペース６に設けられた圧力センサにセンサナンバーを付与し、これに基づいて以下のとおりの項目が入力できるようになっている。「１」にはセンサナンバーを入力する。「２」には収納物の項目、「３」には収納物の分類、「４」には賞味期限、「５」には在庫量表示、「６」には、基準値、すなわち購入換気ラインを入力する。このように収納物の項目の他、収納物の分類も設定できるようしておけば、携帯端末７から残量の問い合わせを行う際に、特定の収納物についての残量の問い合わせだけでなく、例えば「トイレ用品」といった分類の残量を問い合わせることも可能となる。これらの設定操作は、ユーザが独自に行うことができ、自分の生活スタイルや管理した収納物の種類に応じて設定することができる。
【００１９】
図５（ａ）は、洗面台収納６ａの収納スペースを４つに分割してセンサを４つ設置した場合の入力例を示している。センサナンバー１には、トイレットペーパーが入力され、分類としては、トイレ用品に属する。在庫量表示及び購入喚起ラインとしては、％で表示してもよいし数量で表示してもよい。このときの在庫量表示は、１００％が満杯とし空の状態を０％で表示するようにしてもよい。また購入喚起ラインは、例えば在庫量が所定値以下となったときなどと、ユーザの生活スタイルにあわせて設定することができる。よって、図５（ａ）に示すようにトイレットペーパーは３０％を購入喚起ラインとし、ティッシュは２０％を購入喚起ラインとしてもよい。また洗剤やシャンプーは１個を購入喚起ラインとしてもよい。
【００２０】
図５（ｂ）には、異なる収納部に同じ種別の収納物を収納する場合の入力例を示している。
このように同じトイレットペーパーであっても、センサナンバーに基づいて個別に設定することができる。このような場合は、センサナンバー１とセンサナンバー２の合算で購入喚起ラインを設定してもよい。例えばセンサナンバー１とセンサナンバー２の収納物が同じなので、在庫量の合算が２０％以下になったときに携帯端末７に通知するようにしてもよい。
図５（ｃ）には、賞味期限のある食品のストック管理をする場合の入力例を示している。
このように賞味期限のあるものは、賞味期限を登録することで、残量の管理だけでなく収納物の賞味期限の管理ができる。
【００２１】
図６は携帯端末７から問い合わせがあった場合の基本動作の一例を示したフロー図である。この場合、宅内のパソコン端末１０を起動させていなくても通信可能なように通信可能なサーバ（不図示）を設置するようにしてもよい。また携帯端末７には、宅内のストック管理状況を問い合わせできるアプリケーションをダウンロードするようにしてもよいし、上述のサーバにアクセスできるソフトウエアを備えるようにしてもよい。
携帯端末７から残量の問い合わせがあり（Ｓ２００）、問い合わせのあった収納物の種別設定がされていれば（Ｓ２０１）、該当する収納物が収納されている収納部の残量検知部６０による残量検知を行う（Ｓ２０２）。そして演算部６１で収納物の残量を個数に換算して（Ｓ２０３）、通信部は、個数を携帯端末７へ通知する（Ｓ２０４）。残量の問い合わせのあった収納物の種別設定が登録されていない場合は、通信部はその旨を携帯端末７へ通知する。
この構成によれば、例えば外出先からある種別の残量がいくつかあるのか知りたいときに問い合わせれば、リアルタイムに具体的な残個数を知ることができる。
なお、ここで説明した通信部は、パソコン端末１０の通信部４（図１参照）であってもよいし、サーバの通信部であってもよい。
【００２２】
以上、実施形態で説明したストック管理収納システム１、制御部２、記憶設定部３、通信部４、収納スペース６などの構成は図例や上述の説明に限定されない。例えば宅内に設置されるパソコン端末１０で設定入力をする他、管理センターなどで設定入力を行えるようにしてもよい。また残量検知部６０の構成も上述に限定されず、例えば圧力センサとカメラとを組み合わせて残量を検知する構成としてもよい。
【符号の説明】
【００２３】
１      ストック管理収納システム
１０      パソコン端末
２０      報知判断部
２１      出力部
３      記憶設定部
３０      種別設定部
３１      基準値設定部
３２      種別−検知量換算部
４      通信部
６      収納スペース
６０      残量検知部
６１      演算部
７      携帯端末
Ａ，Ｂ・・・      収納部
【図１】
2013088001.tif 000003
【図２】
2013088001.tif 000004
【図３】
2013088001.tif 000005
【図４】
2013088001.tif 000006
【図５】
2013088001.tif 000007
【図６】
2013088001.tif 000008